【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
現像剤を収容するための現像容器；該現像容器に収容されている正帯電性現像剤を担持し、且つ現像領域に搬送するための現像剤担持体；及び該現像剤担持体上に形成される該正帯電性現像剤の層厚を規制するための現像剤層厚規制部材；を有する現像装置に用いられる現像用現像剤担持体において、
該現像剤担持体は、少なくとも基体、及び該基体表面に樹脂組成物によって形成された樹脂被覆層を有しており、
該樹脂組成物は、（Ｉ）結着樹脂、（II）導電性微粒子、（III）個数平均粒径が０．３〜３０μｍの球状粒子、及び（IV）鉄粉に対して正帯電性の第４級アンモニウム塩化合物を少なくとも含有していることを特徴とする現像用現像剤担持体。
【請求項２】
球状粒子は、個数平均粒径２〜２０μｍを有する請求項１に記載の現像用現像剤担持体。
【請求項３】
球状粒子は、真密度３ｇ／ｃｍ3以下を有する請求項１又は２に記載の現像用現像剤担持体。
【請求項４】
球状粒子は、真密度２．７ｇ／ｃｍ3以下を有する請求項１又は２に記載の現像用現像剤担持体。
【請求項５】
球状粒子は、真密度０．９〜２．５ｇ／ｃｍ3を有する請求項１又は２に記載の現像用現像剤担持体。
【請求項６】
球状粒子は、長径／短径の比１．０〜１．５を有する請求項１〜５のいずれか１項に記載の現像用現像剤担持体。
【請求項７】
球状粒子は、長径／短径の比１．０〜１．２を有する請求項１〜５のいずれか１項に記載の現像用現像剤担持体。
【請求項８】
球状粒子は、球状樹脂粒子である請求項１〜５のいずれか１項に記載の現像用現像剤担持体。
【請求項９】
球状樹脂粒子は、無機微粉体によって表面処理されている請求項８に記載の現像用現像剤担持体。
【請求項１０】
球状樹脂粒子は、カップリング剤によって表面処理されている請求項８に記載の現像用現像剤担持体。
【請求項１１】
球状粒子は、真密度３ｇ／ｃｍ3以下を有している導電性球状粒子である請求項１に記載の現像用現像剤担持体。
【請求項１２】
球状粒子は、真密度２．７ｇ／ｃｍ3以下を有している導電性球状粒子である請求項１に記載の現像用現像剤担持体。
【請求項１３】
球状粒子は、真密度０．９〜２．５ｇ／ｃｍ3以下を有している導電性球状粒子である請求項１に記載の現像用現像剤担持体。
【請求項１４】
導電性球状粒子は、体積抵抗値１０6Ω・ｃｍ以下を有している請求項１１〜１３のいずれか１項に記載の現像用現像剤担持体。
【請求項１５】
導電性球状粒子は、体積抵抗値１０-6〜１０3Ω・ｃｍを有している請求項１１〜１３のいずれか１項に記載の現像用現像剤担持体。
【請求項１６】
導電性球状粒子は、球状の樹脂粒子が焼成により炭素化されたものである請求項１１〜１５のいずれか１項に記載の現像用現像剤担持体。
【請求項１７】
導電性球状粒子は、球状のメソカーボンマイクロビーズが焼成により黒鉛化されたものである請求項１１〜１５のいずれか１項に記載の現像用現像剤担持体。
【請求項１８】
導電性球状粒子は、内部が炭素化され、外部が黒鉛化されたものである請求項１１〜１５のいずれか１項に記載の現像用現像剤担持体。
【請求項１９】
導電性球状粒子は、球状の樹脂粒子表面にバルクメソフェーズピッチを被覆し、被覆された粒子を酸化性雰囲気下で熱処理した後に、不活性雰囲気下又は真空下で焼成して得られたものである請求項１８に記載の現像用現像剤担持体。
【請求項２０】
導電性球状粒子は、導電性の金属、導電性の金属酸化物又はそれらの両者でめっき処理されたものである請求項１１〜１５のいずれか１項に記載の現像用現像剤担持体。
【請求項２１】
導電性球状粒子は、球状の樹脂粒子表面が導電化処理されたものである請求項１１〜１５のいずれか１項に記載の現像用現像剤担持体。
【請求項２２】
導電性球状粒子は、球状の樹脂粒子表面に導電性微粒子を付着させ、付着された粒子に機械的衝撃力を付与して得られたものである請求項２１に記載の現像用現像剤担持体。
【請求項２３】
導電性球状粒子は、球状の樹脂粒子中に導電性微粒子が分散されたものである請求項１１〜１５のいずれか１項に記載の現像用現像剤担持体。
【請求項２４】
導電性球状粒子は、樹脂と導電性微粒子とを混練し、混練物を冷却固化し、固化物を粉砕し、粉砕物を機械的処理、熱的処理又はそれらの両者の処理で球形化したものである請求項２３に記載の現像用現像剤担持体。
【請求項２５】
樹脂被覆層は、樹脂粒子を結着樹脂１００重量部に対して２〜１２０重量部含有している請求項１〜２４のいずれか１項に記載の現像用現像剤担持体。
【請求項２６】
第４級アンモニウム塩化合物は、下記式で示される化合物を有する請求項１〜２５のいずれか１項に記載の現像用現像剤担持体。
【化１】
2000003091.tif 000001
【請求項２７】
式中の陰イオンは、有機硫酸イオン、有機スルホン酸イオン、有機リン酸イオン、モリブデン酸イオン、タングステン酸イオン、モリブデン原子を含むヘテロポリ酸イオン及びタングステン原子を含むヘテロポリ酸イオンからなる群から選択される少なくとも１種を含む請求項２６に記載の現像用現像剤担持体。
【請求項２８】
樹脂被覆層は、第４級アンモニウム塩化合物を結着樹脂１００重量部に対して１〜１００重量部含有している請求項１〜２７のいずれか１項に記載の現像用現像剤担持体。
【請求項２９】
結着樹脂は、−ＮＨ2基、＝ＮＨ基、又は−ＮＨ−結合のいずれかを有している請求項１〜２８のいずれか１項に記載の現像用現像剤担持体。
【請求項３０】
結着樹脂は、フェノール樹脂、ポリアミド樹脂及びポリウレタン樹脂からなる群から選択される樹脂である請求項２９に記載の現像用現像剤担持体。
【請求項３１】
樹脂被覆層は、０．２〜３．５の中心線表面粗さＲａを有している請求項１〜３０のいずれか１項に記載の現像用現像剤担持体。
【請求項３２】
正帯電性現像剤は、正帯電性トナーを有している請求項１〜３１のいずれか１項に記載の現像用現像剤担持体。
【請求項３３】
正帯電性現像剤は、磁性正帯電性トナーを有する一成分系現像剤である請求項３２に記載の現像用現像剤担持体。
【請求項３４】
正帯電性現像剤は、非磁性正帯電性トナーを有する一成分系現像剤である請求項３２に記載の現像用現像剤担持体。
【請求項３５】
正帯電性トナーは、離型剤を含有している請求項３２に記載の現像用現像剤担持体。
【請求項３６】
正帯電性トナーは、正荷電制御剤を含有している請求項３２に記載の現像用現像剤担持体。
【請求項３７】
正帯電性現像剤は、正帯電性トナー及び液体潤滑剤によって処理された外添剤を有している請求項３２に記載の現像用現像剤担持体。
【請求項３８】
正帯電性現像剤は、液体潤滑剤を担持している着色剤、液体潤滑剤を担持している磁性粉又はそれら両者を含有している正帯電性トナーを有している請求項３２に記載の現像用現像剤担持体。
【請求項３９】
正帯電性トナーは、重量平均粒径が３〜１２μｍ、４．０μｍ以下の粒子の含有量が３０個数％以下、１２．７μｍ以上の粒子の含有量が１２．０体積％以下の粒度分布を有している請求項３２に記載の現像用現像剤担持体。
【請求項４０】
現像剤を収容するための現像容器；該現像容器に収容されている正帯電性現像剤を担持し、且つ現像領域に搬送するための現像剤担持体；及び該現像剤担持体上に形成される該正帯電性現像剤の層厚を規制するための現像剤層厚規制部材；を有する現像装置において、
上記現像剤担持体が、請求項１〜３９のいずれか１項に記載の現像剤担持体であることを特徴とする現像装置。
【請求項４１】
更に、前記現像剤担持体は、現像時にバイアス電圧が印加される請求項４０に記載の現像装置。
【請求項４２】
バイアス電圧は、直流電圧成分が重畳された交番バイアス電圧である請求項４１に記載の現像装置。
【請求項４３】
静電潜像担持体上に静電潜像を形成する潜像形成工程、及び該静電潜像を現像装置の正帯電性現像剤により現像する現像工程を有する画像形成方法において、
該現像装置は、正帯電性現像剤を収容するための現像容器；該現像容器に収容されている正帯電性現像剤を担持し、且つ現像領域に搬送するための現像剤担持体；及び該現像剤担持体上に形成される該正帯電性現像剤の層厚を規制するための現像剤層厚規制部材；を有しており、
上記現像剤担持体が、請求項１〜３９のいずれか１項に記載の現像剤担持体であり、
上記現像工程で、正帯電性現像剤を該現像剤担持体表面と摩擦帯電させることにより、該正帯電性現像剤に正の摩擦電荷を付与し、正の摩擦電荷が付与された正帯電性現像剤により該静電潜像を現像することを特徴とする画像形成方法。
【請求項４４】
更に、前記現像剤担持体上に形成される該正帯電性現像剤の層厚は、該現像剤担持体の表面と潜像担持体の表面との最小間隔よりも薄い請求項４３に記載の画像形成方法。
【請求項４５】
更に、前記現像剤担持体は、現像時にバイアス電圧が印加される請求項４３又は４４に記載の画像形成方法。
【請求項４６】
バイアス電圧は、直流電圧成分が重畳された交番バイアス電圧である請求項４５に記載の画像形成方法。
【請求項４７】
画像形成装置本体に着脱可能に装着される装置ユニットにおいて、該装置ユニットは、現像剤を収容するための現像容器；該現像容器に収容されている正帯電性現像剤を担持し、且つ現像領域に搬送するための現像剤担持体；及び該現像剤担持体上に形成される該正帯電性現像剤の層厚を規制するための現像剤層厚規制部材；を有しており、
上記現像剤担持体が、請求項１〜３９のいずれか１項に記載の現像剤担持体であることを特徴とする装置ユニット。
【請求項４８】
更に、前記装置ユニットは、現像容器中に正帯電性現像剤を収容している請求項４７に記載の装置ユニット。
【請求項４９】
更に、前記装置ユニットは、潜像担持体が更に一体にユニット化されている請求項４７又は４８に記載の装置ユニット。
【請求項５０】
更に、前記現像剤担持体上に形成される該正帯電性現像剤の層厚は、該現像剤担持体の表面と潜像担持体の表面との最小間隔よりも薄い請求項４９に記載の装置ユニット。
【請求項５１】
現像時にバイアス電圧を該現像剤担持体に印加して静電潜像の現像を行う請求項４７〜５０のいずれか１項に記載の装置ユニット。
【請求項５２】
バイアス電圧は、直流電圧成分が重畳された交番バイアス電圧である請求項５１に記載の装置ユニット。